(57)【特許請求の範囲】
【請求項１】
液体を噴射して記録媒体に記録を行うための記録ヘッドと、前記記録ヘッドに供給される液体を収納するための記録液カートリッジと、前記記録ヘッド及び前記記録液カートリッジを搭載して記録媒体の搬送方向と交差する方向に移動するためのキャリッジと、を備え、前記キャリッジは、該キャリッジに対して前記記録液カートリッジを着脱可能なメンテナンス位置に移動可能である液体噴射記録装置であって、
前記キャリッジを前記メンテナンス位置に移動させた際に該キャリッジと対向する部材の壁面に、前記記録液カートリッジを前記キャリッジに着脱する際に前記記録液カートリッジの側面を案内する仕切り部と前記記録液カートリッジの上面を案内する案内部とを設けたことを特徴とする液体噴射記録装置。
【請求項２】
前記仕切り部と前記案内部は、１部材で構成されることを特徴とする請求項１に記載の液体噴射記録装置。
【請求項３】
原稿の画像を読み取るためのスキャナユニットを備え、前記キャリッジと対向する部材は前記スキャナユニットであることを特徴とする請求項１または２に記載の液体噴射記録装置。
【請求項４】
装置本体に対して開閉可能なアクセスカバーを備え、前記アクセスカバーが開かれると前記キャリッジは前記メンテナンス位置に移動させられることを特徴とする請求項１ないし３のいずれか１項に記載の液体噴射記録装置。
【請求項５】
前記アクセスカバーが閉じられると前記キャリッジは前記メンテナンス位置から移動させられることを特徴とする請求項４に記載の液体噴射記録装置。
【発明の詳細な説明】
【技術分野】
【０００１】
本発明は、液体噴射記録ヘッドから記録液を吐出して記録媒体に画像を形成する液体噴射記録装置に関する。また、本発明は、液体噴射記録装置の中でも、特に、原稿からの光を電気信号に変換し画像として読み取る画像読み取り部と、記録媒体に液滴を噴射して画像を記録する液体噴射記録ユニットとを備える画像入出力装置に関する。
【背景技術】
【０００２】
一般にインクジェット記録方式として知られている記録方式を採用した液体噴射記録ヘッドとしては、図２２に示すように、そのホルダ部材１０３に対して記録液貯蔵カートリッジを着脱可能に構成したものが知られている。図２２に示す例では、ホルダ部材１０３は、７つの記録液貯蔵カートリッジ１１１，１１２，１１３，１１４，１１５，１１６，１１７を装着可能となっており、各記録液貯蔵カートリッジは、それぞれ独立して着脱可能である。ホルダ部材１０３は、一面が開放された箱状の形状を有しており、開放された一面から各記録液貯蔵カートリッジを挿入し、装着できるようになっている。各記録液貯蔵カートリッジには、ホルダ部材１０３の底に当たる部分に記録液供給口２１１（図２３）が形成され、これがホルダ部材１０３の底部に設けられたジョイント部に接続されるようになっている。
【０００３】
図２３は、記録液貯蔵カートリッジ１１１の装着工程を示している。装着工程では、まず、図２３（ａ）に示すように、ホルダ部材１０３の内部に記録液貯蔵カートリッジ１１１を挿入する。この挿入は、ホルダ部材１０３の上面に記録液貯蔵カートリッジ１１１の記録液供給口２１１側の面を向けるとともに、突起１３２の配置された面を下方に傾けた状態で行う。そして、図２３（ｂ）に示すように記録液貯蔵カートリッジ１１１がホルダ部材１０３の図中右側側面の傾斜面に沿って挿入されることで記録液貯蔵カートリッジ１１１の突起１３２がホルダ部材１０３の第２の穴２４２に対応する位置に導かれる。さらに、図２３（ｃ）に示すように、記録液貯蔵カートリッジ１１１をホルダ部材１０３に押し込むことでラッチレバー１３０が内側に撓む。そして、最終的に、図２３（ｄ）に示すように、ラッチレバー１３０に形成されたフック１３１がホルダ部材１０３の第１の穴２４１に係合され、突起１３２が第２の穴２４２に係合される。それによって、記録液貯蔵カートリッジ１１１はホルダ部材１０３に固定される。この装着状態とすることで、吸収体１３６に保持されている記録液が記録液供給口２１１部分に配置されたジョイント部材１３７を介して液体噴射記録ヘッド内へと導入される。
【０００４】
一方、記録液貯蔵カートリッジ１１１を取り外す場合は、ラッチレバー１３０を内側に撓ませてフック１３１をホルダ部材１０３の第１の穴２４１から抜く。それによって、記録液貯蔵カートリッジ１１１はホルダ部材１０３から容易に取り出すことができる。
【０００５】
上記の構成では、記録液貯蔵カートリッジを、液体噴射記録ヘッドの上方から容易に着脱操作することができる。このため、この液体噴射記録ヘッドを備える液体噴射記録装置は、記録液貯蔵カートリッジの着脱作業を行うために、装置の上方を、あるいは上方と前方を同時に開放できるメンテナンスカバーを有している。
【０００６】
液体噴射記録ヘッドは、装置本体側に取り付けられたホルダ部材１０３と一体に形成される場合もあるが、装置本体に対して着脱可能に構成される場合もある。また、記録液貯蔵カートリッジを単独で交換できる構成は、装置のランニングコストが低く抑えられる点で好ましいとされているが、液体噴射記録ヘッドに液体貯蔵部が一体に組み込まれ、それを装置本体に対して着脱可能とした構成も知られている。これらの場合にも、液体噴射記録ヘッドの着脱作業を、装置の上方から行えるようにする構成が知られている。
【０００７】
この際、液体噴射記録ヘッドの着脱の繰り返しは吐出口形成面をぶつけてしまうなどの損傷の危険性を増やす要因となる。このため、液体噴射記録ヘッドの着脱作業は、このような危険を比較的容易に回避して作業を行うことができる装置上方側からのアクセスが好ましいとされている。
【特許文献１】特開平１０−２８６９７２号公報
【特許文献２】特開２００４−０４２４９８号公報
【発明の開示】
【発明が解決しようとする課題】
【０００８】
近年、液体噴射記録ヘッドは、それを用いた画像記録機構に加え、画像読み取り機構を一体に備える、ＭＦＰ（マルチファンクションプリンタ）と称される画像入出力装置に利用されるようになってきている。このような画像入出力装置では、画像記録機構は液体噴射記録ユニットとして装置下段に配置され、画像読み取り機構はスキャナユニットとして装置上段に配置されるのが一般的である。
【０００９】
このようなＭＦＰにおいて、前述のように、記録液貯蔵カートリッジや液体噴射記録ヘッドを、装置上方から交換可能とするためには、スキャナユニットを退避させる必要がある。スキャナユニットを退避させる構成としては、スキャナユニットを上方に揺動させてワニ口状に開くことができるようにした構成や、スキャナユニットをスライド可能にした構成が挙げられる。後者の構成は、スキャナユニットのスライド退避に伴う装置本体からのはみ出し量が大きくなり、装置本体を設置する際に余分なスペースを確保しなければならない上、構造が複雑で高価な構成となりがちである。一方、前者の構成は、スキャナユニットの、退避（揺動移動）に伴う装置本体からのはみ出し量を小さくすることができること、簡単な構造で安価に製作できることなどの利点を有する。
【００１０】
しかし、ＭＦＰのスキャナユニットとしては、筐体の上部に原稿を載置する透明な原稿台が設けられており、筐体の内部には原稿台に対し平行に移動可能な画像読み取り部が設けられたフラットベット型のものが一般的である。このフラットベット型のスキャナユニットは、記録用紙などの一定の大きさの記録媒体を水平に載置できる構成とされるため、奥行きが大きくなってしまう。一方、液体噴射記録ユニットにおいては、装置前方に排出される記録済の記録媒体の、前方への飛び出し量を小さく設定するなどの設計要因から液滴が噴射される記録位置が、したがって、液体噴射記録ヘッドの配置位置が装置の奥側に設定されるのが一般的である。
【００１１】
そこで、記録液貯蔵カートリッジあるいは液体噴射記録ヘッドの交換は、特にスキャナユニットを前方から上方に揺動させて退避させる構成の場合、装置の前方から装置の奥側深くまで指先を進入させて行う必要がある。その結果、特に室内照明下の作業では、作業部に入射する照明光が、操作者の上方に位置するスキャナユニットによって遮られてしまい、操作者は手暗がりな状態での交換作業を余儀なくされていた。このため、作業性は必ずしも良好ではなく、記録液貯蔵カートリッジや液体噴射記録ヘッドを交換作業中に装置筐体などにぶつけてしまい、液体噴射記録ヘッド、記録液貯蔵カートリッジ、装置の内部構成部品などを破損してしまうことが懸念されていた。
【００１２】
これに対して、作業性を改善するために、スキャナユニットの退避角度（開放角度）を大きく設定する（例えばスキャナユニットを９０°揺動可能にする）ことが考えられる。しかし、スキャナユニットの揺動角度を大きくすると、スキャナユニットを閉める際の揺動に伴う加速度が大きくなって、スキャナユニットが勢いよく揺動しがちになる。そのため、操作者の手がスキャナユニットと液体噴射記録ユニットの間に挟まれてしまうことが懸念される。したがって、この場合、スキャナユニットが勢い良く揺動することのないように設計上の安全対策を十分に施す必要が生じ、これが装置の製造コストを増大させてしまうことになる。
【００１３】
一方、ＭＦＰに対してＳＦＰ（シングルファンクションプリンタ）と称される通常の液体噴射記録装置においても、記録液貯蔵カートリッジあるいは液体噴射記録ヘッドの交換のために、装置の上方を開放する必要があるのは必ずしも好ましくない。すなわち、ＳＦＰとしては、天井部外装カバーの上面が水平面となっており、その上に物を載せることを可能とするのが、利便性が高められて好ましい場合がある。この場合、交換のために装置上方を開放するたびに、装置上に載せられた物を一時的に退避させなければならず、作業性が著しく悪化してしまう。
【００１４】
そこで、本発明の目的は、液体噴射記録装置、その中でも特に画像入出力装置において、記録液貯蔵カートリッジの交換の作業性や、交換を可能とする構成の利便性や簡素性を向上させることにある。
【課題を解決するための手段】
【００１５】
上述の目的を達成するため、本発明の液体噴射記録装置は、液体を噴射して記録媒体に記録を行うための記録ヘッドと、前記記録ヘッドに供給される液体を収納するための記録液カートリッジと、前記記録ヘッド及び前記記録液カートリッジを搭載して記録媒体の搬送方向と交差する方向に移動するためのキャリッジと、を備え、前記キャリッジは、該キャリッジに対して前記記録液カートリッジを着脱可能なメンテナンス位置に移動可能である液体噴射記録装置であって、
前記キャリッジを前記メンテナンス位置に移動させた際に該キャリッジと対向する部材の壁面に、前記記録液カートリッジを前記キャリッジに着脱する際に前記記録液カートリッジの側面を案内する仕切り部と前記記録液カートリッジの上面を案内する案内部とを設けたことを特徴とする。
【発明の効果】
【００１６】
本発明によれば、案内部によって、記録液カートリッジを装置の前方からのアクセスで、容易に適切に着脱可能とすることができる。それによって、記録液貯蔵カートリッジの交換の作業性や、交換を可能とする構成の利便性や簡素性を向上させることができる。
【発明を実施するための最良の形態】
【００１７】
以下、本発明の実施形態について図面を参照して説明する。
【００１８】
（実施形態１）
図１，２に、本実施形態の液体噴射記録装置であるＭＦＰ４０の外観斜視図を示す。ＭＦＰ４０は、装置本体の底面を覆う底カバー７２、メインカバー７１、およびスキャナハウジング７５を下から順に積み上げるように構成された筐体を有している。このメインカバー７１に対応する位置に、後述する液体噴射記録ユニットＡ（図３など参照）が配置され、スキャナハウジング７５に対応する位置に、後述するスキャナユニットＢ（図４，５参照）が配置されている。
【００１９】
装置筐体の上面には、図示していないが、スキャナユニットＢの、透明な原稿台が配置されており、それを覆うように、原稿台カバー３９が揺動して開閉できるように取り付けられている。装置筐体の前面には、排紙カバー７３が取り付けられている。排紙カバー７３は、図１に示すように、装置筐体の外面の一部となるように装置筐体に沿った位置と、図２に示すように、水平になった位置との間で、下端縁を中心として揺動可能に取り付けられている。排紙カバー７３は、水平にした状態で、液体噴射記録ユニットＡによって画像が記録された記録媒体を載置する働きをする。排紙カバー７３の内側には、同様に下端縁を中心に揺動させて開閉可能なアクセスカバー７４が配置されている。
【００２０】
図３〜５は、装置筐体を外して、ＭＦＰ４０の内部の構成を示している。図３は、内部の構成のうち、液体噴射記録ユニットＡのみを示す斜視図、図４，５は、それぞれ後方と前方から見た全体の斜視図である。
【００２１】
ＭＦＰ４０は、液体噴射記録方式の液体噴射記録ユニットＡ、原稿を光学的に読み取るスキャナユニットＢ、積載された記録媒体を分離して液体噴射記録ユニットＡに供給する給紙ユニットＣ、および、電源部、制御部などから成る電装部Ｄを有している。本実施形態において、スキャナユニットＢは液体噴射記録ユニットＡの上方に固定された構成となっている。本実施形態のＭＦＰ４０は、必要に応じてコンピュータや送受信器などの他の装置に接続可能に構成され、あるいは、そのような機能部が組み込まれて、プリンタ、複写機、ファクシミリ等の機能を有することができる。
【００２２】
給紙ユニットＣはＡＳＦ（オートシートフィーダー）として構成されており、記録用紙やプラスチック薄板（ＯＨＰなど）などの記録媒体を複数枚積層搭載可能な給紙トレイ２１を有している。給紙トレイ２１上には、記録媒体の側面位置をガイドするためのスライダ２２が、記録媒体の給紙方向に直交する方向にスライド可能に取り付けられている。給紙トレイ２１の上方には、積層搭載された記録媒体を、上方のものから１枚ずつ分離して給紙するための給紙ローラ２３が配置されている。
【００２３】
液体噴射記録ユニットＡは、給紙ユニットＣによって給紙された記録媒体を挟持搬送する対になった搬送ローラ２４とコロ（不図示）を有している。そして、この液体噴射記録ユニットＡは、キャリッジ３が、搬送ローラ２４によって搬送された記録媒体上を通る位置を搬送方向に対して直角方向（主走査方向）に往復移動可能に取り付けられたシリアルタイプの構成を有している。キャリッジ３には、タイミングベルト２８が係合しており、タイミングベルト２８が懸架されたプーリ２７をモータ２６によって駆動することによって往復移動させられる。記録媒体の搬送経路の、往復移動するキャリッジ３との交差部より下流には、装置本体の前部に配置された排紙トレイ８に記録媒体を排紙する対になった排紙ローラ２５と拍車（不図示）が配置されている。
【００２４】
本実施形態では、キャリッジ３は、上方に開放した箱状のキャリッジカバー（ホルダ部材）５２（図６など参照）を有しており、この内部に液体噴射記録ヘッド１と複数の記録液貯蔵カートリッジ２とをそれぞれ着脱可能となっている。それによって、記録液貯蔵カートリッジ２は、貯蔵された記録液が無くなった時にそれぞれ新品と交換可能となっている。液体噴射記録ヘッド１は、装置着荷時にキャリッジ３に装着された後は、ほとんど交換されることはないが、不具合が生じた時や老朽化した時に必要に応じて交換可能である。概ね薄い直方体形状の複数の記録液貯蔵カートリッジ２をそれぞれ搭載可能とするため、液体噴射記録ヘッド１とキャリッジカバー５２には、各記録液貯蔵カートリッジ２の搭載部間に配置された仕切り部材１ｂ，５２ｃ（図８など参照）が設けられている。
【００２５】
キャリッジ３は、液体噴射記録ヘッド１に記録指令信号や電力などを供給するために、不図示のフレキシブルケーブルを介して電装部Ｄの電気回路に接続されている。液体噴射記録ヘッド１は、その接点がこのフレキシブルケーブルに接続された接点に、後述するように所定の位置に搭載固定されることによって圧接して接続される。
【００２６】
液体噴射記録ヘッド１には、その底部に液体噴射機構が設けられている。液体噴射機構は、一般に、微細な吐出口およびノズルと、このノズルの一部に設けられた加圧室、すなわちエネルギー作用部と、このエネルギー作用部にある記録液に作用させる液滴形成エネルギーを発生するエネルギー発生部とを備えている。このような液体噴射機構を用いた記録方式は、ノンインパクト方式であるため騒音が少ないという利点を有している。エネルギーを発生するエネルギー発生部としては、ピエゾ素子などの電気機械変換体を用いたもの、電気熱変換素子によって記録液を過熱して記録液中に生じる膜沸騰の圧力によって記録液を吐出させるようにしたものなどがある。
【００２７】
電気熱変換素子をエネルギー発生手段として用いた液体噴射機構は、一般に、各種の記録液に対応して構成された多数の吐出口およびノズルを有し、所定の各ノズル群に連通している各共通液室から各種の記録液がそれぞれ供給される構造となっている。そして、各ノズル内に配置された電気熱変換素子に記録信号となる電気パルスを与えることにより記録液に熱エネルギーを与え、そのときの記録液の相変化により生じる記録液の発泡時（沸騰時）の気泡圧力によって記録液が吐出される。このような液体噴射機構は、エッチング、蒸着、スパッタリングなどの半導体製造プロセスを経て、基板上に電気熱変換素子、電極、液流路壁などを成膜して形成することにより製造することができる。
【００２８】
このような液体噴射機構は、記録手段のコンパクト化が容易であり、記録用の液滴を吐出して飛翔用液滴を形成する吐出口を高密度に配列するのが比較的容易である。このため、この液滴噴射機構を利用した液体噴射記録ヘッド１は、高解像度の記録を高速に処理するものとするのが容易であり、また、多色の記録液を使用してカラー画像を記録するようにするのも容易であるという利点を有している。さらに、この液体噴射機構は、その小型化や長尺化、マルチノズル化も容易で、しかも大量生産に適し、製造コストも安価にすることができる。
【００２９】
キャリッジ３の往復移動経路の一端部付近の下方には、吐出回復ユニット６５が配置されている。吐出回復ユニット６５は、液体噴射記録ヘッド１の吐出口を、その周辺に密着して覆うことが可能なキャップ６６を有している。また、吐出回復ユニット６５には、液体噴射記録ヘッド１の吐出口周辺に残存した記録液を拭き取るための可撓性材料からなるブレード（不図示）を配置してもよい。
【００３０】
記録待機モード選択時や装置本体の電源スイッチが切られたときなどには、液体噴射記録ヘッド１はキャリッジ３によって回復ユニット６５の上方へ移動させられる。そして、吐出回復ユニット６５のキャップ６６が液体噴射記録ヘッド１の吐出口形成面に圧接され、これを密封するキャッピング状態となる。それによって、記録液溶剤の蒸発伴う増粘や吐出口内方への塵埃の進入が防止され、記録液が吐出に適さない状態となるのが抑制される。
【００３１】
キャップ６６には、キャップ６６による密閉部内に作用させる吸引力を発生するポンプ（不図示）が連通している。キャッピング状態でこのポンプを適宜駆動することによって、液体噴射記録ヘッド１の吐出口内方に残存した気泡、塵埃、および増粘した記録液などを吸い出して除去することができる。それによって、吐出口内方の記録液がリフレッシュされ、吐出不良の回避、吐出性能の確保が図られる（吐出回復処理）。
【００３２】
スキャナユニットＢは、筐体の上部に原稿を載置する透明な原稿台が設けられており、筐体の内部には原稿台に対し平行に往復移動可能な画像読み取り部３２を有するフラットベット型の画像読み取り装置を構成している。画像読み取り部３２は、ガイド軸４２に沿って往復移動自在になっている。ガイド軸４２は、液体噴射記録ユニットＡにおける記録媒体の搬送方向に対して直角方向（キャリッジ３の主走査方向と平行な方向）に延びている。画像読み取り部３２にはタイミングベルト４５が係合しており、画像読み取り部３２は、タイミングベルト４５が懸架された不図示のプーリがスキャナモータ４４によって駆動されることによって往復移動させられる。
【００３３】
詳細には示さないが、画像読み取り部３２は、光電変換素子を備える密着イメージセンサを有している。往復移動させられている時に、画像読み取り部３２の往復移動経路の上方に位置する原稿台に載置された原稿の、有効領域にある画像の情報がこの密着イメージセンサによって順次読み取られる。画像読み取り部３２には、フレキシブルケーブル（不図示）が接続され、これを介して、読み取られた画像情報が電装部Ｄに電送される。ＭＦＰ４０は、他のコンピュータなどから入力された画像データに基づく記録動作の他、この画像読み取り部３２によって読み取られた画像データに基づく記録動作が可能である。
【００３４】
なお、スキャナユニットＢは、ミラー移動式の走査型縮小光学系を具備するものであってもよい。また、スキャナユニットＢは、必要に応じて、原稿台に載置された原稿に照明光を照射する光源を有し、原稿の表面で反射されて集光レンズにより集光された光を読み取る構成を有していてもよい。
【００３５】
電送部Ｄは液体噴射記録ユニットＡのコントロール基板、スキャナユニットＢのコントロール基板、画像入出力装置全体のシステムコントロール基板、オペレーションコントロール基板、電源基板などを備えている。
【００３６】
本実施形態のＭＦＰ４０による記録動作においては、まず、給紙トレイ２１に積載された記録媒体が、スライダ２２によって側面をガイドされながら給紙ローラ２３によって給送され、さらに、搬送ローラ２４とコロによって挟持搬送される。そして、記録媒体が液体噴射記録ユニットＡの内部に進入すると、キャリッジ３が往復移動させられ、液体噴射記録ヘッド１から液滴が噴射されて記録媒体に、液体噴射記録ヘッド１の吐出口列の幅に相当する所定幅の画像記録が行われる。その後、記録媒体の、所定量の搬送と所定幅の画像記録が繰り返されて、記録媒体の全域に画像を記録することができる。画像記録が完了した記録媒体は、排紙ローラ２５と拍車によって挟持搬送されて排紙トレイ８上に排出される。排紙トレイ８上に排出された記録媒体は、排紙カバー７３によって開放された装置前面から取り出すことができる。
【００３７】
本実施形態のＭＦＰ４０では、液体噴射記録ヘッド１または記録液貯蔵カートリッジ２の交換時、あるいは、搬送部への記録媒体の詰まりを解消するためにアクセスカバー７４が開かれる。図２に示すように、アクセスカバー７４を開くと、筐体内部の所定の領域の前方が開放され、筐体内部の液体噴射記録ユニットＡにアクセスすることが可能となる。本実施形態では、アクセスカバー７４によって開放される領域（メンテナンス位置）は、それぞれほぼキャリッジ３の幅分の広さを有するカートリッジ交換領域（第一メンテナンス位置）Ｆとヘッド交換領域（第二メンテナンス位置）Ｇとに設定されている。
【００３８】
ＭＦＰ４０は、通常の状態でアクセスカバー７４が開放されると、カートリッジ交換モードが選択されたことを認識する。一方、液体噴射記録ヘッド１を交換するためのヘッド交換モードは、スイッチの押圧、プリンタドライバーの操作などによる入力に応じて選択可能とすることができる。なお、通常、液体噴射記録ヘッド１や記録液貯蔵カートリッジ２の交換は、キャリッジ３が吐出回復ユニット６５の上方に停止した待機状態にある時に開始される。しかし、キャリッジ走査状態やキャリッジ走査待機状態であっても、アクセスカバー７４が開放された時にカートリッジ交換モードあるいはヘッド交換モードになるようにしてもよい。また、カートリッジ交換モードの選択は、上記のように、アクセスカバーの開閉動作によって自動的に選択されるようにするのが操作が簡便になり、好ましいが、スイッチの押圧、プリンタドライバーの操作などによる入力に応じて選択可能としてもよい。
【００３９】
また、記録動作準備中もしくは記録動作中に、搬送部に記録媒体が詰まっているのが検出された状態でアクセスカバー７４が開放された場合、ＭＦＰ４０は紙詰まり処理モードが選択されたことを認識する。紙詰まり処理モードが選択された場合、キャリッジ３は、記録動作中断位置で停止したままとしてもよいし、回復ユニット上方へ移動させてキャッピング状態としてもよいし、紙詰まりの状態などに応じて適切な位置に移動させるようにしてもよい。
【００４０】
次に、カートリッジ交換モードについて説明する。
【００４１】
カートリッジ交換モードが選択されると、キャリッジ３は、図６に示すようにカートリッジ交換領域Ｆへ移動させられる。この際、アクセスカバー７４の開放時に液体噴射記録ヘッド１がキャッピング状態となっている通常の場合、キャリッジ３の移動前に、吐出回復ユニット６５のキャップ６６を液体噴射記録ヘッド１から離す処理が行われる。
【００４２】
カートリッジ交換領域Ｆには、スキャナハウジング７５の下面７５ａ（図８参照）から突出して形成された複数の仕切り板（仕切り部）１１と案内板（案内部）１２（図２参照）が配置されている。仕切り板１１と案内板１２は、その下端が、図６に示すように、記録液貯蔵カートリッジ２を所定の位置に装着した状態では、記録液貯蔵カートリッジ２の上縁から所定の距離離間した位置にある。したがって、キャリッジ３の往復移動時に、記録液貯蔵カートリッジ２が仕切り板１１や案内板１２と接触することはない。
【００４３】
仕切り板１１は、カートリッジ交換モード時、キャリッジ３が所定の位置に停止すると、液体噴射記録ヘッド１およびキャリッジ３の仕切り部材１ｂ，５２ｃに相対する位置にくるように配置されている。案内板１２は、仕切り板１１に挟まれる位置に配置されており、記録液貯蔵カートリッジ２を液体噴射記録ヘッド１およびキャリッジ３に対して着脱する際に、記録液貯蔵カートリッジ２が所定の着脱軌跡を描くように誘導する働きをする。
【００４４】
本実施形態のＭＦＰ４０では、これらの仕切り板１１と案内板１２を利用することによって、記録液貯蔵カートリッジ２を装置の前方側から容易に着脱することができる。図７，８に、この記録液貯蔵カートリッジ２の装着方法を示す。
【００４５】
記録液貯蔵カートリッジ２は、図８に示すように、貯蔵された記録液を液体噴射記録ヘッド１に供給するためのジョイント部２ｅを底面に有している。また、所定位置に装着固定するための構成として、記録液貯蔵カートリッジ２の、装着のための挿入時に前方となる側には突起２ｂが形成され、後方となる側には弾性変形可能なラッチレバー２ｄが取り付けられている。液体噴射記録ヘッド１には、記録液貯蔵カートリッジ２の突起２ｂに対応する位置に位置決め穴１ａが形成されている。
【００４６】
記録液貯蔵カートリッジ２の装着では、まず、記録液貯蔵カートリッジ２が、図８（ａ）に示すように、そのジョイント部２ｅを下方に向けた状態で、スキャナハウジング７５の下面７５ａとキャリッジカバー５２の端部５２ａの間に前方から挿入される。この時、記録液貯蔵カートリッジ２は、その装着個所に対応した所定の仕切り板１１の間に挿入される。すると、記録液貯蔵カートリッジ２の上面先端部２ａが案内板１２の下縁の傾斜面１２ａに当接する。それによって、記録液貯蔵カートリッジ２は、図７、図８（ｂ）に示すように、突起２ｂの形成面が下方に向くように自然に傾けられる。そして、記録液貯蔵カートリッジ２の上面先端部２ａが案内板１２の傾斜面１２ａ上を摺動しながら傾斜面１２ａに沿って挿入されることによって、記録液貯蔵カートリッジ２はキャリッジカバー５２の内部へと挿入されていく。このようにして記録液貯蔵カートリッジ２を挿入していくと、記録液貯蔵カートリッジ２の突起２ｂが液体噴射記録ヘッド１の位置決め穴１ａに対応する位置へと誘導される。
【００４７】
そして、図８（ｃ）に示すように、記録液貯蔵カートリッジ２を傾斜した状態でほぼ完全に挿入した後、記録液貯蔵カートリッジ２の上面後端部側２ｃを下方に向けて押し込む。それによって、記録液貯蔵カートリッジ２の突起２ｂが液体噴射記録ヘッド１の位置決め穴１ａに係合される。さらに、ラッチレバー２ｄが、キャリッジカバー５２の内壁面と干渉することによって内側に撓み、キャリッジカバー５２の係合部５２ｂに係合する（図８（ｄ）参照）。このようにして、記録液貯蔵カートリッジ２はキャリッジカバー５２に対して完全に固定される。この状態にすることによって、記録液貯蔵カートリッジ２のジョイント部２ｅが液体噴射記録ヘッド１の記録液導入部に確実に良好に接続される。それによって、記録液貯蔵カートリッジ２内に貯蔵されている記録液を、ジョイント部２ｅを介して液体噴射記録ヘッド１内へと供給可能な状態となる。
【００４８】
一方、記録液貯蔵カートリッジ２を取り外す場合は、ラッチレバー２ｄを内側に撓ませてラッチレバー２ｄのフックをキャリッジカバー５２の係合部５２ｂから外し、記録液貯蔵カートリッジ２を上方へ持ち上げつつ前方へ引き出す。この際、記録液貯蔵カートリッジ２の上面が案内板１２の傾斜面１２ａと接触する。そして、記録液貯蔵カートリッジ２を、傾斜面１２ａ上を摺動させるように引き出すことによって、記録液貯蔵カートリッジ２は、上面先端部２ａが下方へ傾斜した姿勢を保ちながら引き出される。それによって、記録液貯蔵カートリッジ２は、挿入軌跡を逆方向に辿るように誘導され、そのため、キャリッジカバー５２などにぶつけることなく容易に取り出すことができる。
【００４９】
上述のようにして、記録液貯蔵カートリッジ２の交換作業が終了してアクセスカバー７４が閉められると、キャリッジ３は吐出回復ユニット４５の上方へ移動させられ、液体噴射記録ヘッド１はキャッピングされる。この際、仮に、記録液貯蔵カートリッジ２が所定位置にセットされない状態でアクセスカバー７４が閉められると、その後のキャリッジ３の移動によって記録液貯蔵カートリッジ２は仕切り板１１と接触してしまう恐れがある。このため、カートリッジ交換モード終了後の、キャリッジ３の移動開始段階では、所定の移動範囲の間、キャリッジ３を、記録のためのキャリッジ移送速度に対して低速度で移動させるようにするのが好ましい。それによって、記録液貯蔵カートリッジ２が完全に装着されていない状態でキャリッジ３の移動が開始され、記録液貯蔵カートリッジ２と仕切り板１１が干渉したとしても、両者に加わる負荷を軽減でき、両者の破損を抑制することができる。
【００５０】
通常、キャリッジ３の移動距離はリニア式エンコーダ、回転式エンコーダなどの不図示のカウント式移動距離測定手段によって測定される。記録液貯蔵カートリッジ２と仕切り板１１との干渉が生じた場合は、記録液貯蔵カートリッジ２と仕切り板１１が干渉するとキャリッジ３の移動負荷が増大してカウントアップ速度が低下するかあるいはカウントアップが行われなくなる。このように、カウント式移動距離測定手段を利用することによって、記録液貯蔵カートリッジ２と仕切り板１１との干渉が生じているのをすみやかに判定することができる。干渉が生じているのが判定された場合、キャリッジ３の移動は直ちに停止される。このような制御により、記録液貯蔵カートリッジ２と仕切り板１１との干渉に伴う損傷が防止される。この際、前述のように、キャリッジ３の移動開始段階での速度を低速にしておくことによって、干渉に伴う負荷が過大にならないうちに移動を停止させ、効果的に損傷を抑制することができる。
【００５１】
また、記録液貯蔵カートリッジ２がキャリッジカバー５２に対して確実に係合された状態であることを電気的に検出する記録液貯蔵カートリッジ検出手段を設けてもよい。それによって、ＭＦＰ４０が、記録液貯蔵カートリッジ２の装着状態を判定できるようになる。そして、ＭＦＰ４０は、記録液貯蔵カートリッジ２が適切に保持されていない状態でカートリッジ交換モードが終了された場合には、記録液貯蔵カートリッジ２のセット不良を判定することができる。
【００５２】
記録液貯蔵カートリッジ２のセット不良が検出された場合、ＭＦＰ３０は、キャリッジ３をカートリッジ交換領域Ｆに停止したまま移動させない構成とすることができる。また、記録液貯蔵カートリッジ２がセット不良状態であることを警告表示することにより、操作者に対して記録液貯蔵カートリッジ２のセット状態の再確認を要請するようにしてもよい。
【００５３】
次に、ヘッド交換モードについて説明する。
【００５４】
前述のようにスイッチやプリンタドライバーなどの入力手段を介してヘッド交換モードが選択されてアクセスカバー７４が開放されると、キャリッジ３はヘッド交換領域Ｇへ移動させられて停止する。この状態で、液体噴射記録ヘッド１の交換を行うことができる。
【００５５】
図１０から１３は、液体噴射記録ヘッド１の、キャリッジ３への固定方法を説明するための図である。図１１に示すように、キャリッジ３は、液体噴射記録ヘッド１をキャリッジ３に押圧して固定するヘッド固定部材５１を有している。ヘッド固定部材５１は軸５１ｂを中心として揺動できるように取り付けられ、下方に揺動させることによって液体噴射記録ヘッド１に当接させ、上方に揺動させることによって液体噴射記録ヘッド１上から退避させることができる。ヘッド固定部材５１の軸５１ｂの方向に関する一方の端部には、操作者がヘッド固定部材５１を揺動させる力を加える操作部として機能するレバー５１ａが設けられている。また、ヘッド固定部材５１の軸５１ｂの方向に関する両端部付近には第１、第２のヘッド押圧ばね５３，５４がそれぞれ設けられている。これらのヘッド押圧ばね５３，５４は、ヘッド固定部材５１の揺動に伴って軸５１ｂを中心として移動し、ヘッド固定部材５１を液体噴射記録ヘッド１に当接させた時に、液体噴射記録ヘッド１をキャリッジ３に押圧して密着固定する押圧力を発生する。
【００５６】
また、図１０に示すように、液体噴射記録ヘッド１の両側面の下端付近には、ラフガイド１ｃが突出するように形成されている。キャリッジカバー５２には、図１１に示すように、このラフガイド１ｃに対応する溝５２ｄが形成されている。溝５２ｄは、装置奥側に向かって斜め下方に延びている。
【００５７】
液体噴射記録ヘッド１の装着時には、まず、レバー５１ａを揺動させて、図１２に示すように、ヘッド固定部材５１を、液体噴射記録ヘッド１の上端に当接する位置から上方に退避させる。そして、図１０に示すように、液体噴射記録ヘッド１を、その下面から、その上端を装置本体手前側に傾けてキャリッジ３に向けて挿入する。この時、液体噴射記録ヘッド１のラフガイド１ｃがキャリッジカバー５２の溝５２aに沿って案内され、それによって、液体噴射記録ヘッド１を、キャリッジカバー５２などにぶつけることなく所定の固定位置に容易に挿入することができる。
【００５８】
そして、液体噴射記録ヘッド１の下面が所定位置に当接した後、レバー５１ａを揺動させて、ヘッド固定部材５１を液体噴射記録ヘッド１の上縁に当接させる。それによって、液体噴射記録ヘッド１はキャリッジ３に密着固定される。
【００５９】
一方、液体噴射記録ヘッド１を取り外す際はレバー５１ａを揺動させて押圧を解除した後に、液体噴射記録ヘッド１の上端を装置前方側に引き出す。この時、液体噴射記録ヘッド１のラフガイド１ｃがキャリッジカバー５２の溝５２aに沿って案内されることによって、液体噴射記録ヘッド１を、装置前方側へ傾けながら容易に引き出すことができる。
【００６０】
液体噴射記録ヘッド１の交換作業が終了してアクセスカバー７４が閉められると、キャリッジ３は所定の退避位置へ移動させられ停止される。この時、記録液貯蔵カートリッジ２が未搭載状態であるので、表示手段などによって操作者に対して引き続き記録液貯蔵カートリッジ２の搭載を促すことができる。そして、操作者が再びアクセスカバー７４を開放すると、装置本体はカートリッジ交換モードが選択されたことを認識し、キャリッジ３をカートリッジ交換領域Ｆへ移動させて停止し、記録液貯蔵カートリッジ２の搭載待機状態となる。
【００６１】
なお、記録液貯蔵カートリッジ２が搭載された状態では、記録液貯蔵カートリッジ２が液体噴射記録ヘッド１の着脱の妨げとなる。そこで、記録液貯蔵カートリッジ２が搭載状態でヘッド交換モードが選択された場合、操作者に対して警告表示するようにしてもよい。また、記録液貯蔵カートリッジ２の搭載状態の時、キャリッジ３のレバー５１ａの揺動を阻止する揺動ロック手段を設けてもよい。それによって、記録液貯蔵カートリッジ２が搭載された状態でヘッド交換モードが選択された場合でも、操作者が、誤って液体噴射記録ヘッド１の保持状態を解除しようとして、不具合が発生するのを回避することができる。
【００６２】
以上説明した本実施形態のＭＦＰ４０によれば、カートリッジ交換領域Ｆに設けられた仕切り板１１および案内板１２によって、記録液貯蔵カートリッジ２を、装置の前方側から容易に交換可能とすることができる。さらに、カートリッジ交換領域Ｆとは別にヘッド交換領域Ｇを設けることによって、液体噴射記録ヘッド１の交換も、仕切り板１１および案内板１２によって妨げられることなく装置の前方側から実行可能とすることができる。また、液体噴射記録ヘッド１のラフガイド１ｃとキャリッジの溝５２ｄの作用によって、液体噴射記録ヘッド１の、装置前方側からの交換作業も容易とすることができる。
【００６３】
したがって、本実施形態では、液体噴射記録ヘッド１と記録液貯蔵カートリッジ２を交換可能とするために、スキャナユニットＢを退避させて装置の上方を開放可能とする必要がなく、装置構成の簡素化を図ることができる。また、スキャナユニットＢを退避させる作業をする必要がないので、操作性も格段に向上する。
【００６４】
なお、本実施形態では、ＭＦＰ４０の例を示したが、本実施形態の構成は、図１４に示すようなＳＦＰ４１にも適用することができる。図示していなが、ＳＦＰ４１の場合、仕切り板１１および案内板１２は、天井部外装カバー７６の下面に形成すればよい。ＳＦＰ４１において、液体噴射記録ヘッド１と記録液貯蔵カートリッジ２を装置前方側から交換可能とすることによって、天井部外装カバー７６上を含む装置上面上に物を載せる構成とした場合の利便性を向上させることができる。すなわち、液体噴射記録ヘッド１および記録液貯蔵カートリッジ２の交換時に、天井部外装カバー７６上の物を退避させる必要がなくなる。なお、図示の例では、天井部外装カバー７６は、紙詰まり処理などの際に搬送部を開放するために開放可能となっているが、固定された構成とすることも可能である。
【００６５】
また、本実施形態の構成は、上述のように、記録液貯蔵カートリッジ２の底面にジョイント部２ｅが形成された装置に適用するのに特に有効である。すなわち、このような装置では、従来、記録液貯蔵カートリッジ２を装置上方側から交換するようになっていたのに対して、本実施形態の構成を適用することによって、装置前方側からの交換が可能となり、それによって、上述のような優れた効果が得られる。しかし、本実施形態の構成は、ジョイント部が側面もしくは上面に配置された形態の記録液貯蔵カートリッジを用いる装置に対しても有効である。すなわち、そのような装置に本実施形態の構成を適用することによって、記録液貯蔵カートリッジの交換の作業性を向上させることができる。
【００６６】
さらに、本実施形態のＭＦＰ４０およびＳＦＰ４１の構成では液体噴射記録ヘッドの記録液吐出方向が装置底面方向に設定されている。しかし、本実施形態の構成は、記録液吐出方向を装置側面方向や、装置上面方向に設定した装置に対しても適用できる。
【００６７】
（実施形態２）
図１５〜１８に本実施形態のＭＦＰ４０を示す。これらの図において、実施形態１と同様の部分には同一の符号を付し説明を省略する。
【００６８】
本実施形態では、図１５に示すように、アクセスカバー７４を開いて開放される領域は、カートリッジ交換領域Ｆに設定されている。すなわち、このカートリッジ交換領域Ｆにおいて、スキャナハウジング７５の下面７５ａに仕切り板１１と案内板１２（図１７，１８参照）が突出するように形成されている。
【００６９】
本実施形態では、スキャナユニットＢ（スキャナハウジング７５）が、装置奥側に設けられたヒンジ部７５ａによって、図１７，１８に示すように、上方に開いて液体噴射記録ユニットＡの上方を開放するように揺動可能に取り付けられている。仕切り板１１および案内板１２は、スキャナハウジング７５の下面７５ａに一体的に形成されていることから、スキャナハウジング５２を揺動させて開くと、液体噴射記録ユニットＡから離間し退避させられる。本実施形態のＭＦＰ４０は、スキャナユニットＢをこのように装置上方へ開くことにより液体噴射記録ヘッド１の交換が可能となる構成である。
【００７０】
本実施形態のＭＦＰ４０において、紙詰まりなどが発生していない通常の状態でアクセスカバー７４が前方に開かれると、カートリッジ交換モードが選択される。カートリッジ交換モードが選択されると、キャリッジ３は、カートリッジ交換領域Ｆへ移動させられる。それによって、キャリッジ３は、スキャナハウジング７５の下面７５ａに突出するように形成された各仕切り板１１と、液体噴射記録ヘッド１およびキャリッジカバー５２の各仕切り部材１ｂ，５２ｃとが相対する位置に停止する（図１５参照）。
【００７１】
この状態で、交換対象となる記録液貯蔵カートリッジ２のラッチレバー２ｄの係合を解除して記録液貯蔵カートリッジ２を上方へ持ち上げつつ前方へ引き出すと、記録液貯蔵カートリッジ２は案内板１２に誘導されてキャリッジカバー５２から簡単に引き出せる。その後、新規の記録液貯蔵カートリッジ２が、仕切り板１１、スキャナハウジング７５の下面７５ａ、およびキャリッジカバー５２の端部に囲まれて生じている装置前方挿入口より挿入される。それによって、記録液貯蔵カートリッジ２は案内板１２により所定の固定位置まで誘導されて（図１６参照）位置決め係合される。
【００７２】
一方、スキャナハウジング７５が上方へ揺動させられて開放されるとともにアクセスカバー７４が前方へ揺動させられて開放されるとヘッド交換モードが選択される。この際、液体噴射記録ヘッド１を取り外す場合は、事前に記録液貯蔵カートリッジ２を取り外す必要がある。本実施形態の構成では、このように装置上方が開放された状態では、仕切り板１１および案内板１２もカートリッジ交換領域Ｆから離間してしまう。しかし、この状態で、従来技術と同様に（図２３参照）、記録液貯蔵カートリッジ２を取り外すこともできる。
【００７３】
いずれにしても、図１７に示すように全ての記録液貯蔵カートリッジ２が取り外された状態から液体噴射記録ヘッド１の交換が行われる。すなわち、レバー５１ａを上方に揺動させて液体噴射記録ヘッド１の押圧を解除した後に、液体噴射記録ヘッド１を、その上端を装置前方に傾けて装置前方または装置上方へ容易に引き出すことができる。
【００７４】
また、液体噴射記録ヘッド１を挿入する際は、予めキャリッジ３のレバー５１ａを上方に揺動させてヘッド固定部材５１を退避させた状態としておく。そして、液体噴射記録ヘッド１を、その上端を装置本体前方に傾けて下面側を先頭に装置前方または装置上方からキャリッジ３に向けて挿入する。この際、液体噴射記録ヘッド１のラフガイド１ｃがキャリッジカバー５２の溝５２aに誘導されることによって、液体噴射記録ヘッド１は所定の位置に当接させられる。最後に、レバー５１ａを下方に揺動させることによって、液体噴射記録ヘッド１はキャリッジ３に押圧されて保持される。
【００７５】
液体噴射記録ヘッド１の搭載後、アクセスカバー７４を開放した状態でスキャナハウジング７５を閉めると、仕切り板１１および案内板１２が再びカートリッジ交換領域Ｆに進入する。したがって、記録液貯蔵カートリッジ２を装置前方から装着できるようになる。スキャナハウジング７５を開いたまま、記録液貯蔵カートリッジ２を装置上方から装着してもよいのはもちろんである。
【００７６】
以上のような構成により、交換頻度の高い記録液貯蔵カートリッジ２の交換作業は装置前方から実行可能となる。したがって、ＭＦＰ４０を設置する際に、スキャナハウジング７５を揺動できる領域を確保する必要がなくなる。液体噴射記録ヘッド１は、通常、装置着荷時にキャリッジに装着され、その後は、装置不具合などが発生しない限り、交換が必要となることはほとんどない。液体噴射記録ヘッド１の交換作業は、このように頻度が極めて低いので、交換が必要になった時に、ＭＦＰ４０あるいはその周囲のものを退避させて作業を行う運用としても、実用上ほとんど問題にはならないと考えられる。また、スキャナユニットＢの収容に伴って重量が大きくなるスキャナハウジング７５を揺動させる機会が極めて少なくなることから、装置の操作性が格段に向上する。
【００７７】
なお、当然のことながら、記録液貯蔵カートリッジ２の着脱操作は、装置前方からのアクセスに制限されるものではなく、状況に応じて、スキャナハウジング７５を揺動させて装置上方からアクセスすることも可能である。
【００７８】
以上が本発明の実施形態２に係るスキャナユニット開閉式のＭＦＰ４０の構成であるが、当然のことながら本実施形態の構成は、図１９に示すように、ＳＦＰ４１に適用することも可能である。この場合、仕切り板１１および案内板１２は、装置奥側の縁を中心として揺動させて開閉可能な天井部外装カバー７６の下面に一体的に形成されている。この構成では、液体噴射記録ヘッド１の着脱時には天井部外装カバー７６を揺動させて開放し、装置上方からアクセスする。一方、記録液貯蔵カートリッジの着脱時には、アクセスカバー７３を揺動させて開放し、装置前方からアクセスすることができ、すなわち、仕切り板１１と案内板１２の作用によって前方側から容易に交換作業を行うことができる。したがって、ＳＦＰ４１の、水平になった上面を、物を載置するのに利用可能とする場合の利便性を向上させることができ、すなわち、記録液貯蔵カートリッジ２を交換する際に、ＳＦＰ４１上に載置された物を退避する必要がなくなる。
【００７９】
（実施形態３）
図２０、図２１に本実施形態のＳＦＰ４１の外観斜視図を示す。これらの図において、実施形態１，２と同様の部分には同一の符号を付しており、詳細な説明は省略する。
【００８０】
本実施形態のＳＦＰ４１では、仕切り板１１および案内板１２が、ヘッド固定部材５１の軸５１ｂの方向に複数並んで、ヘッド固定部材５１の天板６１から下方に突出するように一体的に形成されている。仕切り板１１および案内板１２は、ヘッド固定部材５１が液体噴射記録ヘッド１を押圧保持している状態にあるとき、記録液貯蔵カートリッジ２を、装置前方から着脱する際に誘導可能な位置に配置される。すなわち、この時、仕切り板１１は、液体噴射記録ヘッド１とキャリッジカバー５２の仕切り部材１ｂ，５２ｃに相対してこれらの上方に位置する。一方、仕切り板１１および案内板１２は、ヘッド固定部材５１を、液体噴射記録ヘッド１を押圧する位置から上方に揺動させることによって、記録液貯蔵カートリッジ２および液体噴射記録ヘッド１から離間させることができる（退避位置）。この状態では、仕切り板１１および案内板１２に妨げられることなく、液体噴射記録ヘッド１を容易に交換することが可能となる。
【００８１】
本実施形態のＳＦＰ４１において、紙詰まりなどが発生していない通常の状態でアクセスカバー７４が前方に開かれると、カートリッジ交換モードが選択される。カートリッジ交換モードが選択されると、キャリッジ３は、アクセスカバー７４によって前方が開放されたカートリッジ交換領域Ｆへ移動させられて停止する（図２０参照）。
【００８２】
この状態で、交換対象となる記録液貯蔵カートリッジ２のラッチレバー２ｄの係合を解除して記録液貯蔵カートリッジ２を上方へ持ち上げつつ前方へ引き出す。すると、記録液貯蔵カートリッジ２は案内板１２に誘導されてキャリッジカバー５２から簡単に引き出すことができる。新規の記録液貯蔵カートリッジ２の装着時には、記録液貯蔵カートリッジ２を、仕切り板１１、天板６１、およびキャリッジカバー５２の端部５２ａに囲まれて生じている装置前方挿入口より挿入する。それによって、記録液貯蔵カートリッジ２は案内板１２により所定の固定位置まで誘導されて位置決め係合される。
【００８３】
一方、天井部外装カバー７６が上方へ揺動させられて開放されるとともにアクセスカバー７４が前方へ揺動させられて開放されると、ヘッド交換モードが選択される。
【００８４】
液体噴射記録ヘッド１を取り外すには、事前に記録液貯蔵カートリッジ２を取り外す必要がある。記録液貯蔵カートリッジ２の取り外しは、ヘッド固定部材５１を、液体噴射記録ヘッド１を押圧している状態としたままで、前述のカートリッジ交換モードと同様にして装置前方から実行することができる。あるいは、ヘッド固定部材５１を揺動させて退避させ、記録液貯蔵カートリッジ２を装置上方から取り外してもよい。
【００８５】
いずれにしても、液体噴射記録ヘッド１の交換は、記録液貯蔵カートリッジ２を全て外し、キャリッジ３のレバー５１ａを揺動させてヘッド固定部材５１を上方に揺動させ退避させた状態で開始される。この状態で、図２１に示すように、液体噴射記録ヘッド１を、その上端を装置前方に傾けて装置前方または装置上方へ容易に引き出すことができる。液体噴射記録ヘッド１を挿入する際は、やはりヘッド固定部材５１を退避させた状態で、液体噴射記録ヘッド１を、その上端を装置本体前方に傾けて下面側を先頭に装置前方または装置上方からキャリッジ３に向けて挿入する。この際、液体噴射記録ヘッド１のラフガイド１ｃがキャリッジカバー５２の溝５２aに誘導されることによって、液体噴射記録ヘッド１は所定の位置に当接させられる。最後に、レバー５１ａを揺動させることによって、液体噴射記録ヘッド１はキャリッジ３に押圧されて保持される。この状態では、仕切り板１１および案内板１２が液体噴射記録ヘッド１の上方へ進入していることから、その後、記録液貯蔵カートリッジ２は、装置前方から容易に装着できる。
【００８６】
以上のような構成により、交換頻度の高い記録液貯蔵カートリッジ２の交換作業時は装置前方からのアクセスが可能であり、装置上方からのアクセスは、交換頻度の極めて低い液体噴射記録ヘッド１の交換作業時のみ必要となる。したがって、天井部外装カバー７６の上面を水平面として、ＳＦＰ４１上に物を載置できる構成とした時、記録液貯蔵カートリッジ２を交換するのに、ＳＦＰ４１上に載置された物を退避する必要がなくなり、利便性を高めることができる。
【００８７】
以上が本発明の実施形態３に係るＳＦＰ構成であるが、当然のことながら本実施形態の構成はＭＦＰに適用することができる。すなわち、この場合、スキャナユニットを開閉式とし、液体噴射記録ヘッド１の交換時には、スキャナユニットを開き、さらにキャリッジのヘッド固定部材を揺動させて退避させる構成とする。この構成によれば、スキャナユニットを開閉する頻度が大幅に減少し、装置の操作性が格段に向上する。また、ＭＦＰを設置する際にスキャナハウジングの揺動に必要なスペースを確保する必要もなくなる。
【図面の簡単な説明】
【００８８】
【図１】本発明の実施形態１に係るＭＦＰの、アクセスカバーが閉められた状態を示す外観斜視図。
【図２】図１のＭＦＰの、アクセスカバーが開放された状態を示す外観斜視図。
【図３】図１のＭＦＰの、筐体および画像読み取りユニットを省略し斜め前方から見た概略斜視図。
【図４】図１のＭＦＰの、筐体を外し斜め後方から見た概略斜視図。
【図５】図１のＭＦＰの、筐体を外し斜め前方から見た概略斜視図。
【図６】図１のＭＦＰの、全ての記録液貯蔵カートリッジを搭載したキャリッジがカートリッジ交換領域に停止した状態を示す概略斜視図。
【図７】図１のＭＦＰの、カートリッジ交換領域に停止したキャリッジに対して記録液貯蔵カートリッジが着脱されている状態を示す概略斜視図。
【図８】図１のＭＦＰにおける記録液貯蔵カートリッジの挿入方法を説明するための概略断面図。
【図９】図１のＭＦＰの、液体噴射記録ヘッドが搭載された状態のキャリッジがヘッド交換領域に停止した状態を示す概略斜視図。
【図１０】図１のＭＦＰの、ヘッド交換領域に停止したキャリッジに対する液体噴射記録ヘッドの着脱動作を説明するための概略斜視図。
【図１１】図１のＭＦＰのキャリッジの外観斜視図。
【図１２】図１１のキャリッジの、ヘッド固定部材が退避位置にある状態を示す断面図。
【図１３】図１１のキャリッジの、ヘッド固定部材がヘッド保持位置にある状態を示す断面図。
【図１４】本発明の実施形態１に係るＳＦＰの外観斜視図。
【図１５】本発明の実施形態２に係るＭＦＰの、カートリッジ交換領域に停止したキャリッジに全ての記録液貯蔵カートリッジが搭載された状態を示す概略斜視図。
【図１６】図１５のＭＦＰの、カートリッジ交換領域に停止したキャリッジに対する記録液貯蔵カートリッジの着脱動作を説明するための概略斜視図。
【図１７】図１５のＭＦＰの、スキャナハウジングを開いた状態を示す概略斜視図。
【図１８】図１５のＭＦＰの、液体噴射記録ヘッドの着脱動作を説明するための概略斜視図。
【図１９】本発明の実施形態２に係るＳＦＰの、液体噴射記録ヘッドの着脱動作を説明するための概略斜視図。
【図２０】本発明の実施形態３に係るＳＦＰの、記録液貯蔵カートリッジの交換動作を説明するための概略斜視図。
【図２１】本発明の実施形態３に係るＳＦＰの、液体噴射記録ヘッドの交換動作を説明するための概略斜視図。
【図２２】従来例のＭＦＰまたはＳＦＰに搭載されるキャリッジ、液体噴射記録ヘッド、記録液貯蔵カートリッジの概略斜視図。
【図２３】図２２の構成における記録液貯蔵カートリッジの着脱操作を説明するための断面図。
【符号の説明】
【００８９】
１    液体噴射記録ヘッド
２    記録液貯蔵カートリッジ
３    キャリッジ
１１    仕切り板
１２    案内板
４０    ＭＦＰ（液体噴射記録装置）
４１    ＳＦＰ（液体噴射記録装置）
Ｆ    カートリッジ交換領域（第１のメンテナンス領域）
【図１】
0004579813.tif 000002
【図２】
0004579813.tif 000003
【図３】
0004579813.tif 000004
【図４】
0004579813.tif 000005
【図５】
0004579813.tif 000006
【図６】
0004579813.tif 000007
【図７】
0004579813.tif 000008
【図８】
0004579813.tif 000009
【図９】
0004579813.tif 000010
【図１０】
0004579813.tif 000011
【図１１】
0004579813.tif 000012
【図１２】
0004579813.tif 000013
【図１３】
0004579813.tif 000014
【図１４】
0004579813.tif 000015
【図１５】
0004579813.tif 000016
【図１６】
0004579813.tif 000017
【図１７】
0004579813.tif 000018
【図１８】
0004579813.tif 000019
【図１９】
0004579813.tif 000020
【図２０】
0004579813.tif 000021
【図２１】
0004579813.tif 000022
【図２２】
0004579813.tif 000023
【図２３】
0004579813.tif 000024